(57)【要約】【課題】    収納容器を安全に保持するとともに、組み立て容易で、安価で、環境に問題のない液体容器包装体を提供すること。【解決手段】  １枚の段ボール紙から打ち抜き、折り曲げして外形直方体状に組み上げた段ボール箱１０内に液体容器Ｂを収納する液体容器包装体であって、前記段ボール箱１０は、ほぼ前記液体容器Ｂの高さと幅にそれぞれ対応し、折り曲げられて順に連接して形成される４側面１１ａ〜１１ｄと、前記側面の両側の側面のいずれか一方の端縁に側面スリット１１ｅが形成されて折り曲げられたフランジ１１ｆと、前記側面スリット１１ｅに挿入されて前記４側面が中空柱状に組み付けられるように他方の端縁に形成された耳片１１ｇとを有し、各前記側面には内部に折り曲げられ前記液体容器Ｂとの間に緩衝部を形成する少なくとも１個の切り起こし片１１ｈが形成されていることを特徴とする液体容器包装体としている。【選択図】  図１
2005075438.tif 000002
【特許請求の範囲】
【請求項１】
１枚の段ボール紙から打ち抜き、折り曲げして外形直方体状に組み上げた段ボール箱内に液体容器を収納する液体容器包装体であって、
前記段ボール箱は、ほぼ前記液体容器の高さと幅にそれぞれ対応し、折り曲げられて順に連接して形成される４側面と、前記側面の両側の側面のいずれか一方の端縁に側面スリットが形成されて折り曲げられたフランジと、前記側面スリットに挿入されて前記４側面が中空柱状に組み付けられるように他方の端縁に形成された耳片とを有し、各前記側面には内部に折り曲げられ前記液体容器との間に緩衝部を形成する少なくとも１個の切り起こし片が形成されていることを特徴とする液体容器包装体。
【請求項２】
請求項１において、前記段ボール箱の底部は、対向する前記側面のそれぞれの下端で折り曲げられて相手に向かって同一平面上で延在する第１、第２底フラップと、他の対向する側面の１側面の下端に底面スリットが形成されて折り曲げられ、前記第１，第２底フラップの下側に沿って延在する第３底フラップと、残りの１側面の下端で折り曲げられて前記第３底フラップの下側に沿って延在し、前記底面スリットに挿入される底耳片を備えた第４底フラップとを有することを特徴とする液体容器包装体。
【請求項３】
請求項１又は２において、前記段ボール箱の蓋部は、１側面の上端で折り曲げられ、押し込まれて前記液体容器の首部に挿入される首部押さえ穴を備えて延在する第１蓋フラップと、前記１側面と対向する側面の上端で折り曲げられて前記第１蓋フラップの上方で延在する第２蓋フラップと、残る対向側面の一方の側面の上端に蓋スリットが形成されて折り曲げられ、前記第２蓋フラップの上側に沿って延在する第３蓋フラップと、残りの１側面の下端で折り曲げられて前記第３蓋フラップの上側に沿って延在し、前記蓋スリット挿入される蓋耳片を備えた第４蓋フラップとを有することを特徴とする液体容器包装体。
【請求項４】
請求項１〜３のいずれか１項において、前記側面スリットが離間して２個設けられ、該側面スリットのそれぞれに対応し、挿入深さが異なる前記耳片を有していることを特徴とする液体容器包装体。
【請求項５】
請求項１〜４のいずれか１項において、前記耳片、前記底耳片及び前記蓋耳片の少なくともいずれかは、対応する前記側面スリット、前記底面スリット及び前記蓋スリットの長さより幾分長く形成され、挿入後前記スリット等に掛止することを特徴とする液体容器包装体。
【請求項６】
請求項１〜５のいずれか１項において、前記段ボール箱に一体としてあるいは別体として吊り下げ手段が設けられていることを特徴とする液体容器包装体。
【発明の詳細な説明】
【技術分野】
【０００１】
この発明は、壊れやすい液体容器を安全に持ち運びすることが出来る液体容器包装体に関するものである。
【背景技術】
【０００２】
従来、この種の技術では、発泡スチロールで瓶の半割れ型の受け型を２個形成し、瓶をその間に入れてカートンに入れていた。
【０００３】
また、縦型直方体の包装箱の底部に段ボール等で桟状に形成した別部品の緩衝材を押し込み、瓶の底部を支持させ、瓶の首部に瓶穴を差し込むように箱本体から延設され、押し込まれた首押さえで、瓶の横方向移動を阻止する瓶用包装箱が知られている（例えば、特許文献１参照。）。
【特許文献１】特開２００２−３２１７２８号公報
【発明の開示】
【発明が解決しようとする課題】
【０００４】
このような技術では、瓶が外部の硬い物に当たらないようにするため、底部や側面におおきな空間を設けていて、包装箱が瓶に対して異常に大きくなって嵩張っていた。また、別部品を押し込んだりするため、別部品の製作、管理コストがかさむうえ、組み立て工数が掛かっていた。
【０００５】
また、発泡スチロールなどの廃棄に困難な環境問題があった。
【０００６】
そこで、この発明は、上記問題に鑑みて組み立て容易で、安価で、環境に問題のない液体容器包装体を提供することを目的としている。
【課題を解決するための手段】
【０００７】
この目的を達成するため、請求項１の発明は、１枚の段ボール紙から打ち抜き、折り曲げして外形直方体状に組み上げた段ボール箱内に液体容器を収納する液体容器包装体であって、前記段ボール箱は、ほぼ前記液体容器の高さと幅にそれぞれ対応し、折り曲げられて順に連接して形成される４側面と、前記側面の両側の側面のいずれか一方の端縁に側面スリットが形成されて折り曲げられたフランジと、前記側面スリットに挿入されて前記４側面が中空柱状に組み付けられるように他方の端縁に形成された耳片とを有し、各前記側面には内部に折り曲げられ前記液体容器との間に緩衝部を形成する少なくとも１個の切り起こし片が形成されていることを特徴とする液体容器包装体としている。
【０００８】
また、請求項２の発明は、請求項１において、前記段ボール箱の底部は、対向する前記側面のそれぞれの下端で折り曲げられて相手に向かって同一平面上で延在する第１、第２底フラップと、他の対向する側面の１側面の下端に底面スリットが形成されて折り曲げられ、前記第１，第２底フラップの下側に沿って延在する第３底フラップと、残りの１側面の下端で折り曲げられて前記第３底フラップの下側に沿って延在し、前記底面スリットに挿入される底耳片を備えた第４底フラップとを有することを特徴とする液体容器包装体としている。
【０００９】
また、請求項３の発明は、請求項１又は２において、前記段ボール箱の蓋部は、１側面の上端で折り曲げられ、押し込まれて前記液体容器の首部に挿入される首部押さえ穴を備えて延在する第１蓋フラップと、前記１側面と対向する側面の上端で折り曲げられて前記第１蓋フラップの上方で延在する第２蓋フラップと、残る対向側面の一方の側面の上端に蓋スリットが形成されて折り曲げられ、前記第２蓋フラップの上側に沿って延在する第３蓋フラップと、残りの１側面の下端で折り曲げられて前記第３蓋フラップの上側に沿って延在し、前記蓋スリット挿入される蓋耳片を備えた第４蓋フラップとを有することを特徴とする液体容器包装体としている。
【００１０】
また、請求項４の発明は、請求項１〜３のいずれか１項において、前記側面スリットが離間して２個設けられ、該側面スリットのそれぞれに対応し、挿入深さが異なる前記耳片を有していることを特徴とする液体容器包装体としている。
【００１１】
また、請求項５の発明は、請求項１〜４のいずれか１項において、前記耳片、前記底耳片及び前記蓋耳片の少なくともいずれかは、対応する前記側面スリット、前記底面スリット及び前記蓋スリットの長さより幾分長く形成され、挿入後前記スリット等に掛止することを特徴とする液体容器包装体としている。
【００１２】
さらに、請求項６の発明は、請求項１〜５のいずれか１項において、前記段ボール箱に一体としてあるいは別体として吊り下げ手段が設けられていることを特徴とする液体容器包装体としている。
【発明の効果】
【００１３】
請求項１の発明によれば、折り曲げ、差し込みのみで組み立てが出来、組み立て容易で、別部品を使うこともなく安価で、環境問題も解決できるという効果を奏する。また、切り起こし片で緩衝部を作るので嵩張ることもなく安全性が確保でき、出来た穴から内部が見え、内容物の確認が出来るという効果も奏する。
【００１４】
請求項２の発明によれば、請求項１の効果に加え、４つのフラップのうち２つのフラップを同一平面に設けることとしたため、底部をあまり厚くすることなく底部を保護し、全体としてもコンパクトな包装体とすることが出来る。
【００１５】
請求項３の発明によれば、上記請求項１又は２の効果に加え、液体容器の首部を簡易に安全に保持することが出来る効果を奏する。
【００１６】
請求項４の発明によれば、請求項１乃至３の効果に加え、まず長い方の耳片を差し込み、次に短い方の耳片を差し込むため、同時には組み付けが困難であった物が片側、長い方から差し込んで、短い方に移っても側方耳片が抜けることなく容易に組み付けることが出来る。
【００１７】
請求項５の発明によれば、請求項１から４の発明の効果に加え、各耳片を各スリットに掛合せた後には容易に外れなくなる。
【００１８】
請求項６の発明によれば、請求項１から５の発明の効果に加え、吊り下げ手段により容易に持ち運びすることが出来る。
【発明を実施するための最良の形態】
【００１９】
以下、図面に基づいてこの発明を説明する。
【００２０】
図中、１０は液体容器包装体の本体である段ボール箱であって、その展開図が図４に示されており、１枚の段ボール紙から打ち抜き、切り込みがされた状態から破線部分をほとんど谷折りに折り曲げて図２の状態を経て図１，３のように組み立てられる。段ボール箱１０は、図１，３のように外形縦長直方体状に組み上げたものであって、その内部に液体容器Ｂを収納する。ここで段ボールとは、波形形状のものを平面状のもので挟み込んだ形状に接着成形した紙製のもので、例えば樹脂製でも環境問題を克服しうる材質のものをも含む。また、液体容器Ｂは、一升瓶、五合瓶等種々の形状の瓶が対象で、ガラス製に限定されることなく、陶器、樹脂なども含まれる。
【００２１】
段ボール箱１０は、側面部１１と、底部１２と、蓋部１３で構成されている。側面部１１は、ほぼ液体容器Ｂの高さと幅にそれぞれ対応し、折り曲げられて順に連接して形成される４つの側面（第１側面１１ａ、第２側面１１ｂ、第３側面１１ｃ、第４側面１１ｄ）で形成されている。両側に位置する第１側面１１ａ、第２側面１１ｂのいずれか一方の端縁に側面スリット１１ｅが形成されて折り曲げられた側面フランジ１１ｆが形成され、この側面スリット１１ｅに挿入されて４側面１１ａ〜１１ｄが中空柱状に組み付けられるように他方の端縁に耳片１１ｇが形成されている。
【００２２】
耳片１１ｇは、この例では離間して２個設けられている。一方の耳片１１ｇは、幅および挿入深さ、すなわち差し込み深さとなる高さが他の耳片１１ｇより大きく作られており、組立の際、２個の耳片１１ｇを同時に側面スリット１１ｅに差し込むことにならず大きい方から差し込まれ、一旦入った耳片１１ｇは抜けずに他の方が差し込まれるので、組立作業性がよい。
【００２３】
各側面１１ａ〜１１ｄには、図４では逆Ｕ字状に切り込まれており、図１，２のように内部に折り曲げられ液体容器Ｂとの間に緩衝部を形成する少なくとも１個の切り起こし片１１ｈが形成されている。この例では、上下に２個づつ離間されて設けられ、位置は液体容器Ｂの外部を緩衝することができるところが選定される。内部への折り曲げは１８０度にすることはなく、９０度以上であれば液体容器Ｂを入れる際に押されて自然に大きく曲がり、緩衝力を十分に保持することができる。なお、切り起こした後には穴１１ｉが形成される。
【００２４】
また、段ボール箱１０の底部１２は、対向する側面、ここでは第２側面１１ｂ、第４側面１１ｄのそれぞれの下端で折り曲げられて相手に向かって同一平面上で延在する第１底フラップ１２ｂ、第２底フラップ１２ｄと、他の対向する側面、第１側面１１ａ、第３側面１１ｃの１側面、ここでは第３側面１１ｃの下端に底面スリット１２ｅが形成されて折り曲げられ、第１底フラップ１２ｂ、第２底フラップ１２ｄの下側に沿って延在する第３底フラップ１２ｃと、残りの１側面、ここでは第１側面１１ａの下端で折り曲げられて第３底フラップ１２ｃの下側に沿って延在し、底面スリット１２ｅに挿入される底耳片１２ｆを備えた第４底フラップ１２ａとを有している。
【００２５】
第１底フラップ１２ｂ、第２底フラップ１２ｄは、第１側面１１ａ、第３側面１１ｃの幅の半分の大きさで底部１２があまり厚くならないようにして衝撃と座りの安定性との両方を考慮して決められている。また、それぞれの第１底フラップ１２ｂ、第２底フラップ１２ｄには、底面スリット１２ｅを塞がないように切り欠き１２ｇが設けられている。
【００２６】
また、段ボール箱１０の蓋部１３は、１側面、ここでは第４側面１１ｄの上端で折り曲げられ、押し込まれて液体容器Ｂの首部に挿入される首部押さえ穴１３ｅを備えて延在する第１蓋フラップ１３ｄと、１側面である第４側面１１ｄと対向する側面、ここでは第２側面１１ｂの上端で折り曲げられて第１蓋フラップ１３ｄの上方で延在する第２蓋フラップ１３ｂと、残る対向側面、ここでは第１側面１１ａと第３側面１１ｃの一方の側面、ここでは第３側面１１ｃの上端に蓋スリット１３ｆが形成されて折り曲げられ、第２蓋フラップ１３ｂの上側に沿って延在する第３蓋フラップ１３ｃと、残りの１側面である第１側面１１ａの上端で折り曲げられて第３蓋フラップ１３ｃの上側に沿って延在し、蓋スリット１３ｆへ挿入される蓋耳片１３ｇを備えた第４蓋フラップ１３ａとを有している。
【００２７】
第１蓋フラップ１３ｄは、他の蓋フラップ１３ａ、１３ｂ、１３ｃよりは長く形成されており、図２及び図４の状態から谷折り、谷折り、山折りで曲げられ、液体容器Ｂの首部に図１のように押し込まれて装着される。この先端には指を差し入れて持ち上げられるようにする切り欠き１３ｈが設けられている。また、ここには示してはいないが、図１の第１蓋フラップ１３ｄの先端に上方に向けて折り曲げ第２蓋フラップ１３ｂに突き当たる先端部を設けて保持能力を高めても良い。  第２蓋フラップ１３ｂには、蓋スリット１３ｆを塞がないための切り欠き１３ｉが設けられている。第３蓋フラップ１３ｃ及び第４蓋フラップ１３ａには、図に示すような指掛けのための切り欠き１３ｊが設けられていてもよい。
【００２８】
また、耳片１１ｇ、底耳片１２ｆ及び蓋耳片１３ｇの少なくともいずれかは、対応する側面スリット１１ｅ、底面スリット１２ｅ及び蓋スリット１３ｆの長さより幾分長く形成され、挿入後前記スリット１１ｅ、１２ｅ、１３ｆに係合、掛止する。この実施例では、底耳片１２ｆおよび蓋耳片１３ｇは、図４の如くマッシュルーム型を呈しており、対応する底スリット１２ｅ及び蓋スリット１３ｆの幅よりわずかに大きく、その根本が段ボール紙の厚さで切り欠かれて一旦係合した後には容易に係合が外れないようにされている。
【００２９】
さらに、図示しないが段ボール箱１０に一体としてあるいは別体として吊り下げ手段を設けて、持ち運びに便利にしても良い。例えば、第２蓋フラップ１３ｂの先端を延在させ、第３蓋フラップ１３ｃ及び第４蓋フラップ１３ａの上側を越えて第２側面１１ｂに接着固定、又は着脱可能な接着をする把持部を形成しても良い。また、別品で吊り下げ紐等を用意して穴１１ｉの周辺に係止させて吊り下げるようにしても良い。
【００３０】
次に、液体容器包装体の組み立ておよび使用について説明する。
【００３１】
図４のように展開された形状に段ボール紙が用意されており、液体容器Ｂを包装する必要が出来たときには、これを持ち出してくる。第１側面１１ａ〜第４側面１１ｄそれぞれの破線位置で谷折りにし、耳片１１ｇの挿入深さの大きいものを最初に側面スリット１１ｅに挿入し、次に小さな耳片１１ｇを側面スリット１１ｅに差し込んで中空柱状にする。
【００３２】
第１底フラップ１２ｂと第２底フラップ１２ｄを谷折りし、次に第３底フラップ１２ｃを谷折りして重ね、最後に第４底フラップ１２ａを谷折りして底耳片１２ｆを底面スリット１２ｅに差し込み、確実に係合させて底部１２を形成する。
【００３３】
第１側面１１ａ、第２側面１１ｂ、第３側面１１ｃおよび第４側面１１ｄの切り起こし片１１ｈを内側に９０度以上に曲がるように押し込む。この状態で上方から液体容器Ｂを差し込んでくると、切り起こし片１１ｈの反発力に抗しながら液体容器Ｂが納められる。このとき、切り起こし片１１ｈは弾力を持って大きく曲げられ、緩衝機能を果たす。
【００３４】
次に、第１蓋フラップ１３ｄを折り込んで、液体容器Ｂの首部に首押さえ穴１３ｅを差し込んで安定させ、第２蓋フラップ１３ｂ、第３蓋フラップ１３ｃ、第４蓋フラップ１３ａを順次重ね合わせ、蓋耳片１３ｇを蓋スリット１３ｆに挿入させて係止し、蓋部１３を形成する。このようにして液体容器Ｂを収納した段ボール箱１０が形成される。
【００３５】
したがって、折り曲げ、差し込みのみで組み立てが出来、組み立て容易で、別部品を使うこともなく安価で、環境問題も解決できるという効果を奏する。また、切り起こし片で緩衝部を作るので嵩張ることもなくスリムで高さも抑えられ、しかも、安全性が確保でき、出来た穴から内部が見え、内容物の確認が出来るという効果も奏する。
【００３６】
このような段ボール箱１０を別に用意した化粧箱に納めて使用することも出来るが、段ボール箱１０の外表面に化粧紙を貼ったり、印刷したりしてそのままの使用を可能にしたり、吊り下げ手段を用意するにより容易に持ち運びすることが出来る。
【００３７】
なお、この例では、一本の液体容器Ｂの収容について言及しているが、仕切を使って複数本入れる場合も適用しうるものである。
【図面の簡単な説明】
【００３８】
【図１】液体容器包装体の中央縦断面図である。
【図２】液体容器包装体の半組立て状態を示す全体斜視図である。
【図３】液体容器包装体の組立て状態を示す全体斜視図である。
【図４】液体容器包装体の展開図である。上面縁ブロックの装着前のブロック塀の一部を示す斜視図である。
【符号の説明】
【００３９】
１０                  段ボール箱
１１ａ〜１１ｄ        第１側面〜第４側面
１１ｅ                側面スリット
１１ｆ                側面フランジ
１１ｇ                耳片
１１ｈ                切り起こし片
１１ｉ                穴
１２                  底部
１２ａ〜１２ｄ        第１底フラップ〜第４底フラップ
１２ｅ                底面スリット
１２ｆ                底耳片
１３                  蓋部
１３ａ〜１３ｄ        第１蓋フラップ〜第４蓋フラップ
１３ｅ                首部押さえ穴
１３ｆ                蓋スリット
１３ｇ                蓋耳片
１３ｈ、１３ｉ        切り欠き
Ｂ                    液体容器
【図１】
2005075438.tif 000003
【図２】
2005075438.tif 000004
【図３】
2005075438.tif 000005
【図４】
2005075438.tif 000006